(57)【特許請求の範囲】
【請求項１】
粉末材料を計量するためのカップと、前記カップに取り付けられた柄を有する計量さじを取り付けるために、オーバーキャップと縁部を備える小分け用装置であって、   
前記オーバーキャップは、蓋部の表面の一部に取付け機構を有し、 前記取付け機構は、第１の支持部材と、第２の支持部材と、前記第１の支持部材と前記第２の支持部材との間に配置され前記第１の支持部材及び前記第２の支持部材によって前記計量さじの前記柄が押し付けられるスナップ式留めペグとを備え、
前記縁部は、蝶番式に前記蓋部に取り付けられ、計量さじを受け入れるように構成され配置されたグリッパーを備え、前記グリッパーは、前記計量さじが前記取付け機構に結合され前記蓋部が閉じられたとき、前記計量さじと接触しない場所に配置されており、前記計量さじの前記カップを部分的に囲むように構成され配置された湾曲部を備え、前記湾曲部は、正しい位置に前記カップを保持するために前記カップに対して押圧することができる１つ以上の突部を含み、前記計量さじが容器の内容物に接触することなく容易に取り外しうるように構成される、
小分け用装置。
【請求項２】
前記取付け機構が、支持部材と、スナップ式ポストとを備える、請求項１に記載の小分け用装置。
【請求項３】
前記蓋部が、前記計量さじを固定する為に、前記計量さじの前記カップの輪郭と適合する形状の少なくとも１つの突出した湾曲部材を形成している、請求項１に記載の小分け用装置。
【請求項４】
前記縁部が、容器に取り付けられるように構成され配置されている、請求項１に記載の小分け用装置。
【請求項５】
前記蓋部が第１のロック部材を備え、前記縁部が前記第１のロック部材に結合する第２のロック部材を備える、請求項１に記載の小分け用装置。
【請求項６】
前記カップの一部分が少なくとも１つの開口を形成している、請求項５に記載の小分け用装置。
【請求項７】
前記柄の一部分が、前記蓋部に対して前記計量さじを最良の状態で固定する為に、前記スナップ式留めペグが嵌合されるような寸法を有する少なくとも１つの案内部材を備える、請求項６に記載の小分け用装置。
【請求項８】
微粒子材料を収納するための収納装置であって、
カップ、前記カップに取り付けられた柄を備える計量さじと、
表面の一部分に取付け機構を有する蓋部を備えるオーバーキャップであって、前記取付け機構は、粉末材料を計量するための計量さじを取り付けるために、第１の支持部材と、第２の支持部材と、前記第１の支持部材と前記第２の支持部材との間に配置され前記第１の支持部材及び前記第２の支持部材によって前記計量さじの前記柄が押し付けられるスナップ式留めペグとを備える、前記オーバーキャップと、
蝶番式に前記蓋部に取り付けられた縁部であって、前記計量さじを受け入れるように構成され配置されたグリッパーを備える前記縁部であって、前記グリッパーは、前記計量さじが前記取付け機構に結合され前記蓋部が閉じられたとき、前記計量さじと接触しない場所に配置されており、前記計量さじの前記カップを部分的に囲むように構成され配置された湾曲部を備え、前記湾曲部は、正しい位置に前記カップを保持するために前記カップに対して押圧することができる１つ以上の突部を含み、前記計量さじが容器の内容物に接触することなく容易に取り外しうるように構成されている、前記縁部と、
前記縁部に結合された容器と、
を具備する、収納装置。
【請求項９】
前記取付け機構が支持部材とスナップ式ポストとを備える、請求項８に記載の収納装置。
【請求項１０】
前記蓋部が、前記計量さじを固定する為に、前記計量さじの前記カップの輪郭と適合する形状の少なくとも１つの突出した湾曲部材を形成している、請求項８に記載の収納装置。
【請求項１１】
前記蓋部が第１のロック部材を備え、前記縁部が前記第１のロック部材に結合する第２のロック部材を備える、請求項８に記載の収納装置。
【請求項１２】
前記カップの一部分が少なくとも１つの開口を形成している、請求項８に記載の収納装置。
【請求項１３】
前記柄の一部分が、前記蓋部に対して前記計量さじを最良の状態で固定する為に、前記スナップ式留めペグに嵌合されるような寸法を有する少なくとも１つの案内部材を備える、請求項８に記載の収納装置。
【請求項１４】
前記容器が窪んだグリップ部を備える、請求項８に記載の収納装置。
【請求項１５】
粉末材料を計量するためのカップ及び前記カップに取り付けられた柄を有する計量さじを取り付けるための小分け用装置であって、
表面の一部分に取付け機構を有する蓋部を備えるオーバーキャップであって、前記取付け機構は、第１の支持部材と、第２の支持部材と、前記第１の支持部材と前記第２の支持部材との間に配置され前記第１の支持部材及び前記第２の支持部材によって前記計量さじの前記柄が押し付けられるスナップ式留めペグとを備える、前記オーバーキャップと、
前記蓋部に蝶番式に取り付けられ、前記計量さじを保持するように構成され配置されたグリッパーを備える縁部であって、前記グリッパーは、前記計量さじが前記取付け機構に結合され前記蓋部が閉じられたとき、前記計量さじと接触しない場所に配置されており、前記計量さじの前記カップを部分的に囲むように構成され配置された湾曲部を備え、前記湾曲部は、正しい位置に前記カップを保持するために前記カップに対して押圧することができる１つ以上の突部を含み、前記計量さじが容器の内容物に接触することなく容易に取り外しうるように構成されている、前記縁部と、
を備える、小分け用装置。
【請求項１６】
１つの製品を小分け取り出しする方法であって、
カップ、前記カップに取り付けられた柄を有する計量さじと、縁部を有し、微粒子材料を保持するための容器と、蓋部を有し、蝶番式に前記縁部に取り付けられるオーバーキャップとを備える収納装置を用意するステップであって、前記収納装置は、グリッパーと取付け機構とを有し、前記グリッパーは、粉末材料を計量するための計量さじを受け入れるように構成され、前記容器の縁部に取り付けられ、前記計量さじが前記取付け機構に結合され前記蓋部が閉じられたとき、前記計量さじと接触しない場所に配置されており、前記計量さじの前記カップを部分的に囲むように構成され配置された湾曲部を備え、前記湾曲部は、正しい位置に前記カップを保持するために前記カップに対して押圧することができる１つ以上の突部を含み、前記計量さじが前記容器の内容物に接触することなく容易に取り外しうるように構成され、前記取付け機構は、前記オーバーキャップの蓋部表面の一部に配置され、第１の支持部材と、第２の支持部材と、前記第１の支持部材と前記第２の支持部材との間に配置され前記第１の支持部材及び前記第２の支持部材によって前記計量さじの前記柄が押し付けられるスナップ式留めペグとを備える、前記ステップと、
前記蓋部を開き、前記計量さじを前記取付け機構から取り外すステップと、
前記収納装置から製品を移すために前記計量さじを使用するステップと、
前記計量さじを前記グリッパーに挿入するステップと、
を備える、方法。
【発明の詳細な説明】
【技術分野】
【０００１】
[0001]本開示は、小分け用装置（ｄｉｓｐｅｎｓｉｎｇ  ａｐｐａｒａｔｕｓ）に関する。より具体的には、本開示は、容器、オーバーキャップ、計量さじ（ｓｃｏｏｐ）、および、これらを有する装置に関する。
【背景技術】
【０００２】
[0002]微粒子状、顆粒状、または粉末状の材料を保持する蓋部付き容器は、一般に知られたものである。このような容器の例には、粉末状の乳児用調合乳用およびコーヒー用が含まれる。通常、これらの容器には、いかなる小分け用備品も付属していない。ユーザーは一般に容器を開き、その内容物を取り扱うために、カップまたはスプーンのような家庭用用具を使用する。
【０００３】
[0003]微粒子状または粉末状製品を保持する容器では、スプーンまたは小さなカップのような、容器自体の小分け用備品が設けられていることもある。しかし、小分け用カップが横になり、粉末材料で覆われた状態となっていることに出くわすことがある。カップを取り出している間に、ユーザーの手には粉末が付く。ある状況では、小分け用カップは、長い時間にわたって、または輸送の間、容器の底に留まっている可能性もある。その場合、ユーザーは、小分け用カップを見つけるために、粉末を掘るか、容器の内容物を移し出すかすることを強いられ、これによって、結果的に製品が汚染される可能性がある。そのうえ、ユーザーが所望量の粉末を移し終えた時、カップは容器内に戻され、そして次に容器が使用される時には同じ問題が再び生じる。
【０００４】
[0004]容器には、容器のカバーに小分け用カップを取り付けたものがある。しかしながら、容器が開封されれば、ユーザーは、粉末材料内に小分け用カップを収納するという同じ問題に遭遇し、これは衛生上の問題につながる。汚染を回避し、かつその一方で、最初に小分け用カップが取り外された後でも使用できる状況を提供するような方法では、小分け用カップを収納するための解決策は知られていない。それ故に、製品を引き続き使用する間のことはもちろん、初めての使用以前についても、小分け用カップの簡易な取付けに対するニーズが依然としてある。
【発明の概要】
【０００５】
[0005]本開示は、オーバーキャップおよび計量さじを含む小分け用装置に関する。一般的な実施形態において、本開示は、蓋部の表面の一部分の上に取付け機構を具備する蓋部を有するオーバーキャップを含む小分け用装置を提供する。オーバーキャップはまた、蓋部に蝶番式に取り付けられた縁部であり、計量さじを受け入れるように構成されかつ配置されたグリッパーを含む縁部を含んでいる。計量さじは、オーバーキャップの蓋部および縁部に取り外し可能なように、様々な方法で取り付けることが可能である。
【０００６】
[0006]一実施形態において、取付け機構は、第１の支持部材、第２の支持部材、および第１の支持部材と第２の支持部材との間に位置付けられるスナップ式留めペグを含む。別の実施形態において、取付け機構は、支持部材およびスナップ式ポストを含む。
【０００７】
[0007]一実施形態において、蓋部は少なくとも１つの突出した湾曲部材を形成する。一実施形態において、グリッパーは、計量さじを部分的に囲むよう構成されかつ配置された湾曲部を含む。湾曲部は、１つ以上の突部を含むことが可能である。
【０００８】
[0008]一実施形態において、縁部は容器に取り付けられるように構成され配置されている。別の実施形態において、蓋部は第１のロック部材を含み、かつ縁部は第１のロック部材に結合する第２のロック部材を含む。
【０００９】
[0009]一実施形態において、小分け用装置は、柄と、柄に取り付けられたカップとを含む計量さじを含む。カップの一部分は、1つ以上の開口を形成することが可能である。柄の一部分は、1つ以上の案内部材を含むことが可能である。
【００１０】
[0010]別の実施形態において、本開示は微粒子材料を取り扱うための収納装置を提供する。収納装置は、カップおよびカップに取り付けられた柄を有する計量さじと、蓋部の表面の一部の上に取付け機構を具備する蓋部および蓋部に蝶番式に取り付けられ、かつ計量さじを受け入れるかまたは保持するように構成され配置されたグリッパーを含む縁部を有するオーバーキャップと、オーバーキャップの縁部に取り付けられた容器と、を含む。容器は、窪んだグリップ部を含むものとしてもよい。
【００１１】
[0011]別の実施形態において、本開示は１つの製品を子は消して取り出す方法を提供する。その方法は、蓋部の表面の一部分に取り付けられた取付け機構を具備する蓋部および取付け機構に取り付けられた計量さじを有するオーバーキャップと、蓋部に蝶番式に取り付けられ、かつ計量さじを受け入れるかまたは保持するように構成され配置されたグリッパーを含む縁部と、オーバーキャップの縁部に取り付けられ、かつ製品を保持する容器と、を含む収納装置を用意するステップを備える。この方法は、蓋部を開き、かつ取付け機構から計量さじを取り外すステップをさらに備える。計量さじは、収納容器から製品を移すのに用いることができる。計量さじは、次回に製品を移しかつ分配する必要がある時、容易に利用できるように、グリッパーに挿入することができる。
【００１２】
[0012]本開示の利点は、便利でかつ使用が容易な小分け用装置を提供することにある。
【００１３】
[0013]本開示の別の利点は、容器用オーバーキャップおよびオーバーキャップの蓋部に容易に取付け可能な計量さじを提供することにある。
【００１４】
[0014]本開示のさらなる別の利点は、微粒子または粉末を保持するための収納装置を提供することにあり、それによって、ユーザーは微粒子で手を汚すことなく、計量さじを容易に見出しかつ取り出すことが可能である。
【００１５】
[0015]本開示のさらなる別の利点は、微粒子材料用の小分け用装置を提供することにあり、その装置はユーザーによる材料汚染の可能性を防ぐかまたは最小化する。
【００１６】
[0016]さらなる特徴および利点は本明細書で説明されるが、次の詳細な説明および図から明らかとなるであろう。
【図面の簡単な説明】
【００１７】
【図１】本開示の一実施形態において、蓋部の上の取付け機構に結合された計量さじを有する小分け用装置の斜視図を示すものである。
【図２】本開示の一実施形態において、縁部の上のグリッパーに結合された計量さじを有する小分け用装置の斜視図を示すものである。
【図３Ａ】本開示の第２の実施形態において、取付け機構の斜視図を示すものである。
【図３Ｂ】本開示の第２の実施形態において、取付け機構の斜視図を示すものである。
【図４Ａ】本開示の第３の実施形態において、取付け機構の斜視図を示すものである。
【図４Ｂ】本開示の第３の実施形態において、取付け機構の斜視図を示すものである。
【発明を実施するための形態】
【００１８】
[0021]本開示は、小分け用装置およびそれを用いた方法に関する。より具体的には、本開示は微粒子、顆粒および粉末の材料を収納する容器からそれらを適切に小分け取り出しをする、または取り扱う、または配分するためのオーバーキャップおよび計量さじに関する。粉末材料は、例えばベビー用調合乳、粉末飲料、小麦粉、コーヒー、砂糖などの、様々な分配可能な材料のいずれかである。本開示が、液体または粘性材料を小分け取り出しをする、または取り扱うのにも同様に適用されうることは認識されるべきである。
【００１９】
[0022]図１〜図２に示された一般的な実施形態において、本開示は微粒子材料を取り扱うための小分け用装置１０を提供する。小分け用装置１０は、計量さじ２０およびオーバーキャップ３０を含む。容器４０は、任意の適切な方法でオーバーキャップ３０に取り付けることが可能である。
【００２０】
[0023]容器４０は、粉末または微粒子材料のような製品を保持するための、任意の適切な形状を具備することが可能である。容器４０は、窪んだグリップ部４２を含むものとすることができる。窪んだグリップ部４２は、消費者が容器４０を掴むかまたは保持するのを容易にする任意の適切な形状であるものとすることができる。窪んだグリップ部のいずれかの部分は、凹凸面（ｔｅｘｔｕｒｅｄ  ｓｕｒｆａｃｅ）をさらに含んでもよい。
【００２１】
[0024]計量さじ２０は、カップ２２と、カップ２２に取り付けられた柄２４とを含む。柄２２は、消費者が計量さじ２０を保持する際に掴むことを可能とする任意の適切な形状を含むことができる。カップ２２は、容器４０内に収納された材料を保持するための任意の適切な形状とすることができる。カップ２２および柄２４は、単一の一体化された計量さじ２０として形成されるか、または互いら結合された個別の部品であることも可能である。
【００２２】
[0025]オーバーキャップ３０は蓋部３２を含み、この蓋部３２は、その表面の一部分に取り付けられた、または結合された取付け機構５０を有する。取付け機構５０は、単一ユニットの部分として蓋部３２の上に一体化され、かつ蓋部３２と同一の材料で構成されることが可能である。オーバーキャップは、蓋部３２に蝶番式に取り付けることが可能な縁部３４をさらに含む。蓋部３２は、容器４０を覆うための、任意の適切な形状であることが可能である。蓋部３２は、縁部３４の上の第２のロック部材４４と結合するまたは連結する第１のロック部材４２を含む。その結果、蓋部３２は、蓋部３２が閉位置にある場合に縁部３４にしっかりと固定されることが可能となる。
【００２３】
[0026]縁部３４は、計量さじ３０を受け入れるかまたは保持するように構成され配置されたグリッパー６０を含む。縁部３４は、任意の適切な方法で、容器４０の最上部に取り付けられるように構成され配置される。例えば、縁部３４は、容器４０の最上部の部分と同一の形状を有するものとすることができ、容器４０の最上部にスナップフィットされるか、または縁部３４および容器４０の上にある連結ねじ部を用いて、容器４０の最上部に回転ねじ留めすることが可能である。
【００２４】
[0027]図１〜図２は、縁部３４の１つの角にあるグリッパー６０を示しているが、グリッパー６０は、縁部３４の側部を含む、縁部３４の任意の部分に沿って配置できることは理解すべきである。計量さじ２０が取付け機構５０に結合され、かつ蓋部３２が閉じられている時、グリッパーは、計量さじ２０の任意の部分と接触しない場所に配置されるのが好ましい。
【００２５】
[0028]図１〜図２に示した実施形態に見られるように、取付け機構５０は第１の支持部材５２、第２の支持部材５４、および第１の支持部材５２と第２の支持部材５４との間に位置付けられるスナップ式留めくぎ５６を含む。この構成では、取付け機構５０は、蓋部３２に対して計量さじ２０のカップ２２に近くの、柄２４の一部分に結合する。図１に見られるように、第１の支持部材５２および第２の支持部材５４は、スナップ式留めペグ５６に対して柄２４を押し付け、収納および容器４０の操作の間、計量さじ３０を蓋部３２に対してしっかりと固定する。
【００２６】
[0029]図２に示した実施形態でさらに見られるように、例えば、容器４０が開かれた際、グリッパー６０は計量さじ３０を保持することが可能である。この構成では、グリッパー６０は縁部３４から延び、しかも計量さじ２０のカップ２２を部分的に囲むように構成され配置された湾曲部６２を含む。湾曲部６２は、正しい位置にカップ２２をしっかりと保持するために、カップ２２に対してさらに押圧することができる１つ以上の突部６４を含むことが可能である。湾曲部６２は任意の適切な形状することができ、かつカップ２２の外側輪郭に適合するように形作られるのが好ましいことは、認識されるべきである。
【００２７】
[0030]図３Ａ〜図３Ｂに示した別の実施形態において、取付け機構１００は、第１の支持部材１１０、第２の支持部材１１２、および第１の支持部材１１０と第２の支持部材１１２との間に位置するスナップ式留めペグ１１４を含む。スナップ式留めペグ１１４は、スナップ機構１１６を具備する。この構成では、取付け機構１００は、蓋部１３０の一部分に対して計量さじ１２０のカップ１２２から離れている柄１２４の一部分に結合する。柄１２４は、第１の支持部材１１０と第２の支持部材１１２との間に配置される。第１の支持部材１１０および第２の支持部材１１２は、スナップ式留めペグ１１４に対して柄１２４を押し付け、それによって、スナップ機構１１６を介して柄１２４の縁１２８と連結することが可能となる。
【００２８】
[0031]柄１２４の一部分は、１つ以上の案内部材１４０を含むことが可能である。案内部材１４０は、スナップ式留めペグ１１４が案内部材間に嵌合されるような寸法とすることが可能である。その結果、案内部材１４０の助けによって、蓋部１３０のその部分に対して計量さじ１２０を最良の状態で固定する位置状態で、柄１２４がスナップ式留めペグ１１４上に嵌合するように整列される。
【００２９】
[0032]図３Ａ〜図３Ｂに示すように、計量さじ１２０が取付け機構１００に結合された時、蓋部１３０の一部分は、計量さじ１２０のカップ１２２を支持する１つ以上の突出した湾曲部材１５０を形成することが可能である。その結果、突出した湾曲部材１５０の助けによって、取付け機構１００は蓋部１３０のその部分に対して計量さじ１２０を固定することが可能である。突出した湾曲部材１５０は、カップ１２２の輪郭と適合する任意の適切な形状とできることは認識されるべきである。
【００３０】
[0033]図３Ａ〜図３Ｂでさらに見られるように、カップ１２２の一部分は１つ以上の開口１２６を形成することが可能である。開口１２６は、空気を通過させるが、しかし材料をカップ１２２内に保持することのできる意の適切な寸法または形状を具備することが可能である。例えば、開口１２６は、空気を通過させるが、しかし計量さじ１２０によって容器からすくい出される材料を保持する細長い溝開口とすることができる。これによって、カップ１２２内に保持される材料中に存在する可能性のある空気の量が減少するかまたは最小となり、その結果、すくわれる材料の量の精度が高くなる。カップ１２２はまた、どれだけの材料がカップ１２２内に保持されているかをユーザーが決定するのに役立つ、計量または単位の印を含むことが可能である。本開示のいかなる実施形態におけるカップも、１つ以上の開口を含み得ることは認識されるべきである。
【００３１】
[0034]図４Ａ〜図４Ｂで示した他の実施形態において、取付け機構２００は、支持部材２１０およびスナップ機構２２２を具備するスナップ式ポスト２２０含む。支持部材２１０は、計量さじ２５０のカップ２５２の開口を覆うのに適した寸法とすることが可能である。１つ以上の突出した湾曲部材２３０はまた、蓋部２４０の一部分に取り付けることが可能である。この構成では、取付け機構２００は計量さじ２５２のカップ２５２を囲み、カップ２５２の近くにて柄２５４の一部分を蓋部２４０に取り付ける。図４Ｂに見られるように、支持部材２１０はスナップ式ポスト２２０に対して柄２５４を押し付け、かつ柄２５４はスナップ式ポスト２２０に対してしっかりとロックされ得る。
【００３２】
[0035]柄２５４は、計量さじ２５２に強度および支持を与える１つ以上の補強材（ｂｅａｍ）２６０を含むことが可能である。スナップ式ポスト２２０は、補強材２６０のどの１つについてもスナップフィットするように構成され配置される。
【００３３】
[0036]様々なユーザーの好みに適応するためのデザインおよびエンジニアリングの好みに依存して、小分け用装置１０において計量さじ２０およびグリッパー６０の配置が異なってもよいことは、留意すべきである。
【００３４】
[0037]他の実施形態において、本開示は、１つの製品を小分け取り出しをする方法を提供する。その方法は、蓋部の表面の一部分に取り付けられた取付け機構を具備する蓋部および取付け機構に取り付けられた計量さじを有するオーバーキャップと、蓋部に蝶番式に取り付けられた縁部であり、計量さじを保持するように構成され配置されたグリッパーを含む縁部と、オーバーキャップの縁部に取り付けられかつ製品を保持する容器と、を含む収納装置を用意するステップを備える。
【００３５】
[0038]その方法は、蓋部を開き、かつ取付け機構から計量さじを除去するステップをさらに備える。計量さじは、収納装置から製品を移すのに使用することが可能である。計量さじは、次回に製品を移しかつ分配する必要がある時、容易に利用できるように、グリッパーに挿入することが可能である。
【００３６】
[0039]オーバーキャップの蓋部および縁部、計量さじ、ならびに容器は、任意の適切な材料で作ることが可能である。例えば、オーバーキャップの蓋部および縁部、計量さじ、ならびに容器は適切なポリエチレン材料、ランダム共重合体、ポリプロピレン共重合体などから作ることが可能である。オーバーキャップの蓋部および縁部、計量さじ、ならびに容器は、互いに同じ材料で作ることが可能であり、または各々が、その特別な部品の目的に合致する個別の材料で作られることも可能である。
【００３７】
[0040]本明細書に記述された、現在のところ好ましい実施形態に対する様々な変形例および変更例が、当業者にとって明白であろうことは理解されるべきである。そのような変形例および変更例は、本主題の精神および範囲から逸脱することなく、かつその意図した利点を減じることなく、創造されることが可能である。それ故に、そのような変形例および変更例は、添付された請求項によって含まれることが意図されている。
【図１】
0005882908.tif 000002
【図２】
0005882908.tif 000003
【図３Ａ】
0005882908.tif 000004
【図３Ｂ】
0005882908.tif 000005
【図４Ａ】
0005882908.tif 000006
【図４Ｂ】
0005882908.tif 000007